(57)【要約】【課題】携帯端末の所有者が充電器を持っていない場合であっても携帯端末の充電を可能にするとともに、他者のコンセントを使用して充電を行ったことに対する精算を適切に行う。【解決手段】給電アダプタ３０は、携帯端末２０の充電を行う充電器１０によって充電が開始されてから携帯端末２０の充電に使用した電気の料金が精算されるまで、充電器１０の接続端子と自装置の接続端子との接続をロックするように制御する。そして、給電アダプタ３０は、携帯端末２０に給電した電力量を測定し、携帯端末２０の充電に使用した電気の料金を精算する給電料金精算装置５０に測定した電力量を通知する。続いて、給電アダプタ３０は、給電料金精算装置５０からロックの解除が指示された場合に、充電器１０の接続端子と自装置の接続端子との接続のロックを解除するように制御する。【選択図】        図１
2016127741.tif 000002
【特許請求の範囲】
【請求項１】
携帯端末の充電を行う充電装置と、該充電装置を介して前記携帯端末に給電する給電アダプタと、前記携帯端末の充電に使用した電気の料金を精算する精算装置とを有する充電システムであって、
前記充電装置は、
前記携帯端末の接続端子と自装置の接続端子とが電気的に接続された場合に、該携帯端末の充電を行う充電部と、
前記給電アダプタは、
前記充電装置によって充電が開始されてから前記携帯端末の充電に使用した電気の料金が精算されるまで、前記充電装置の接続端子と自装置の接続端子との接続をロックするように制御するロック制御部と、
前記携帯端末に給電した電力量を測定し、該電力量を前記精算装置に通知する測定部と、
前記精算装置から前記ロックの解除が指示された場合に、前記充電装置の接続端子と自装置の接続端子との接続のロックを解除するように制御する解除制御部と、
前記精算装置は、
前記給電アダプタから受信した給電した電力量に基づいて、前記携帯端末の充電に使用した電気に対する料金を計算する計算部と、
前記計算部によって計算した料金とともに該料金の精算の指示を前記携帯端末に対して送信する精算指示部と、
前記料金の支払いが完了した場合には、前記給電アダプタに対して前記ロックの解除を指示する解除指示部と、
を備えたことを特徴とする充電システム。
【請求項２】
前記測定部は、前記充電装置による充電が開始されると、前記携帯端末に給電した電力量の測定を開始し、前記携帯端末のバッテリの充電が完了した場合、または、充電の途中で充電が中止された場合に、携帯端末に給電した電力量を確定させ、該電力量を前記精算装置に通知することを特徴とする請求項１に記載の充電システム。
【請求項３】
携帯端末の充電を行う充電装置によって充電が開始されてから携帯端末の充電に使用した電気の料金が精算されるまで、前記充電装置の接続端子と自装置の接続端子との接続をロックするように制御するロック制御部と、
前記携帯端末に給電した電力量を測定し、前記携帯端末の充電に使用した電気の料金を精算する精算装置に前記測定した電力量を通知する測定部と、
前記精算装置から前記ロックの解除が指示された場合に、前記充電装置の接続端子と自装置の接続端子との接続のロックを解除するように制御する解除制御部と、
を備えたことを特徴とする給電アダプタ。
【請求項４】
携帯端末の充電を行う充電装置と、該充電装置を介して前記携帯端末に給電する給電アダプタと、前記携帯端末の充電に使用した電気の料金を精算する精算装置とを有する充電システムで実行される充電方法であって、
前記充電装置が、
前記携帯端末の接続端子と自装置の接続端子とが電気的に接続された場合に、該携帯端末の充電を行う充電工程を実行し、
前記給電アダプタが、
前記充電装置によって充電が開始されてから前記携帯端末の充電に使用した電気の料金が精算されるまで、前記充電装置の接続端子と自装置の接続端子との接続をロックするように制御するロック制御工程と、
前記携帯端末に給電した電力量を測定し、該電力量を前記精算装置に通知する測定工程と、
前記精算装置から前記ロックの解除が指示された場合に、前記充電装置の接続端子と自装置の接続端子との接続のロックを解除するように制御する解除制御工程と、を実行し、
前記精算装置が、
前記給電アダプタから受信した給電した電力量に基づいて、前記携帯端末の充電に使用した電気に対する料金を計算する計算工程と、
前記計算工程によって計算した料金とともに該料金の精算の指示を前記携帯端末に対して送信する精算指示工程と、
前記料金の支払いが完了した場合には、前記給電アダプタに対して前記ロックの解除を指示する解除指示工程と、
を実行することを特徴とする充電方法。
【発明の詳細な説明】
【技術分野】
【０００１】
本発明は、充電システム、給電アダプタおよび充電方法に関する。
【背景技術】
【０００２】
従来、携帯端末はバッテリを搭載しており、バッテリの充電に充電器が用いられている。例えば、充電器に携帯端末を載置することで、携帯端末に設けられた端末側接続端子と充電器に設けられた充電器側接続端子とが電気的に接続して、バッテリの充電を開始する（例えば、非特許文献１参照）。
【先行技術文献】
【非特許文献】
【０００３】
【非特許文献１】携帯電話充電サービスで集客力アップ、［online］、［平成２６年１０月２８日検索］、インターネット＜http://www.oms-gr.com/juuden/＞
【発明の概要】
【発明が解決しようとする課題】
【０００４】
しかしながら、携帯端末の所有者が外出先等において充電器を持っていない場合に、携帯端末の充電を行うことができないという課題があった。例えば、スポーツ観戦などのイベントに参加する場合、特に携帯端末の使用機会が増え、電池が普段以上に消耗してしまい、携帯端末の電池切れで困ることがある。
【０００５】
また、他者のコンセントを使用して充電を行ったことに対する精算を適切に行うことができないという課題があった。例えば、外出先で充電器を用いて充電を行う際に、外出先の飲食店などのコンセントを使用した場合に、他者のコンセントを使用して充電を行ったことに対して、電気料金等を払わせることができなかった。
【０００６】
そこで、この発明は、上述した従来技術の課題を解決するためになされたものであり、携帯端末の所有者が充電器を持っていない場合であっても携帯端末の充電を可能にするとともに、他者のコンセントを使用して充電を行ったことに対する精算を適切に行うことを目的とする。
【課題を解決するための手段】
【０００７】
上述した課題を解決し、目的を達成するために、本発明に係る充電システムは、携帯端末の充電を行う充電装置と、該充電装置を介して前記携帯端末に給電する給電アダプタと、前記携帯端末の充電に使用した電気の料金を精算する精算装置とを有する充電システムであって、前記充電装置は、前記携帯端末の接続端子と自装置の接続端子とが電気的に接続された場合に、該携帯端末の充電を行う充電部と、前記給電アダプタは、前記充電装置によって充電が開始されてから前記携帯端末の充電に使用した電気の料金が精算されるまで、前記充電装置の接続端子と自装置の接続端子との接続をロックするように制御するロック制御部と、前記携帯端末に給電した電力量を測定し、該電力量を前記精算装置に通知する測定部と、前記精算装置から前記ロックの解除が指示された場合に、前記充電装置の接続端子と自装置の接続端子との接続のロックを解除するように制御する解除制御部と、前記精算装置は、前記給電アダプタから受信した給電した電力量に基づいて、前記携帯端末の充電に使用した電気に対する料金を計算する計算部と、前記計算部によって計算した料金とともに該料金の精算の指示を前記携帯端末に対して送信する精算指示部と、前記料金の支払いが完了した場合には、前記給電アダプタに対して前記ロックの解除を指示する解除指示部と、を備えたことを特徴とする。
【０００８】
また、本発明に係る給電アダプタは、携帯端末の充電を行う充電装置によって充電が開始されてから携帯端末の充電に使用した電気の料金が精算されるまで、前記充電装置の接続端子と自装置の接続端子との接続をロックするように制御するロック制御部と、前記携帯端末に給電した電力量を測定し、前記携帯端末の充電に使用した電気の料金を精算する精算装置に前記測定した電力量を通知する測定部と、前記精算装置から前記ロックの解除が指示された場合に、前記充電装置の接続端子と自装置の接続端子との接続のロックを解除するように制御する解除制御部と、を備えたことを特徴とする。
【０００９】
また、本発明に係る充電方法は、携帯端末の充電を行う充電装置と、該充電装置を介して前記携帯端末に給電する給電アダプタと、前記携帯端末の充電に使用した電気の料金を精算する精算装置とを有する充電システムで実行される充電方法であって、前記充電装置が、前記携帯端末の接続端子と自装置の接続端子とが電気的に接続された場合に、該携帯端末の充電を行う充電工程を実行し、前記給電アダプタが、前記充電装置によって充電が開始されてから前記携帯端末の充電に使用した電気の料金が精算されるまで、前記充電装置の接続端子と自装置の接続端子との接続をロックするように制御するロック制御工程と、前記携帯端末に給電した電力量を測定し、該電力量を前記精算装置に通知する測定工程と、前記精算装置から前記ロックの解除が指示された場合に、前記充電装置の接続端子と自装置の接続端子との接続のロックを解除するように制御する解除制御工程と、を実行し、前記精算装置が、前記給電アダプタから受信した給電した電力量に基づいて、前記携帯端末の充電に使用した電気に対する料金を計算する計算工程と、前記計算工程によって計算した料金とともに該料金の精算の指示を前記携帯端末に対して送信する精算指示工程と、前記料金の支払いが完了した場合には、前記給電アダプタに対して前記ロックの解除を指示する解除指示工程と、を実行することを特徴とする。
【発明の効果】
【００１０】
開示の充電システム、給電アダプタおよび充電方法によれば、携帯端末の所有者が充電器を持っていない場合であっても携帯端末の充電を可能にするとともに、他者のコンセントを使用して充電を行ったことに対する精算を適切に行うことを可能にする。
【図面の簡単な説明】
【００１１】
【図１】図１は、実施例１に係る充電システムの構成の一例を説明するための図である。
【図２】図２は、給電料金精算装置の記憶部に記憶されるデータの一例を示す図である。
【図３】図３は、実施例１に係る充電システムの処理手順を説明するためのシーケンス図である。
【図４】図４は、実施例２に係る充電システムの処理手順を説明するためのシーケンス図である。
【図５−１】図５−１は、実施例３に係る充電システムの処理手順を説明するためのシーケンス図である。
【図５−２】図５−２は、実施例３に係る充電システムの処理手順を説明するためのシーケンス図である。
【発明を実施するための形態】
【００１２】
以下に添付図面を参照して、この発明に係る充電システム、給電アダプタおよび充電方法の実施例を詳細に説明する。なお、この実施例によりこの発明が限定されるものではない。
【実施例１】
【００１３】
［実施例１に係る充電システムの構成］
まず、図１を用いて、充電システム１００の構成を説明する。図１は、実施例１に係る充電システムの構成の一例を説明するための図である。図１に示すように、充電システム１００は、充電器１０、携帯端末２０、給電アダプタ３０、コンセント４０および給電料金精算装置５０を有する。なお、ここで説明する構成はあくまで一例であり、他のさまざまな形態でも実施が可能である。
【００１４】
充電システム１００は、充電器１０の端末側充電器プラグ１２が携帯端末２０の接続端子に電気的に接続され、コンセント側充電器プラグ１３が給電アダプタ３０の接続端子に電気的に接続されることにより、コンセント４０からの電力により携帯端末２０のバッテリ（図示省略）が充電されるものである。
【００１５】
充電器１０は、携帯端末２０の充電を行う充電装置である。また、充電器１０は、携帯端末２０の所有者が外出先で他者のコンセント４０を借りて充電することができるように持ち運びできる充電器である。
【００１６】
携帯端末２０は、携帯電話機、スマートフォン、タブレット型端末や、ノート型ＰＣや、ＰＤＡ（Personal  Digital  Assistant）等の携帯型の情報処理装置である。また、携帯端末２０は、バッテリを搭載しており、バッテリの充電に充電器１０が用いられている。
【００１７】
給電アダプタ３０は、充電器１０を介して携帯端末２０に給電する給電アダプタである。また、給電アダプタ３０は、交流電源を直流電源に変換するＡＣアダプタであり、例えば、１００Ｖの交流の商用電源を降圧して５Ｖの直流電源に変換する。この給電アダプタ３０は、例えば、携帯端末２０の所有者の外出先の店舗等のコンセント４０に取り付けられており、携帯端末２０の所有者の充電を有料で受け入れる。なお、コンセント４０は、複数のコンセント差込口で構成され、コンセント差込口ごとにコンセントＩＤがそれぞれ割り当てられているものとする。
【００１８】
給電料金精算装置５０は、充電器１０を介して給電アダプタ３０から携帯端末２０に給電した電気に対する料金の精算を行う。給電料金精算装置５０は、コンセント４０の提供者が所有する情報処理装置であり、例えば、デスクトップ型ＰＣや、ノート型ＰＣや、タブレット端末や、携帯電話機や、ＰＤＡ等である。
【００１９】
ここで、以下に、図１に図示された充電器１０、給電アダプタ３０および給電料金精算装置５０についての各構成について説明する。
【００２０】
［充電器の構成］
図１に示すように、充電器１０は、充電制御部１１、端末側充電器プラグ１２、コンセント側充電器プラグ１３および充電器コード１４を有する。また、端末側充電器プラグ１２が携帯端末２０の接続端子に電気的に接続され、コンセント側充電器プラグ１３が給電アダプタ３０の接続端子に電気的に接続される。また、充電制御部１１と端末側充電器プラグ１２とが充電器コード１４で接続されている。
【００２１】
ここで、端末側充電器プラグ１２は、携帯端末２０の接続端子の形状に適合できるものであればよく、どのような形状であってもよい。例えば、携帯端末２０の機種ごとや、国・地域ごとに形状が異なる接続端子に適合できるように、形状が異なる端末側充電器プラグ１２を有する複数種類の充電器１０を用意するようにしてもよい。
【００２２】
また、コンセント側充電器プラグ１３も同様に、給電アダプタ３０の接続端子の形状に適合できるものであればよく、どのような形状であってもよい。例えば、国・地域ごとに形状が異なる給電アダプタ３０に適合できるように、形状が異なるコンセント側充電器プラグ１３を有する複数種類の充電器１０を用意するようにしてもよい。
【００２３】
また、充電制御部１１は、充電部１１ａを有する。充電部１１ａは、携帯端末２０の接続端子と端末側充電器プラグ１２とが電気的に接続した場合に、該携帯端末２０の充電を行う。また、充電部１１ａは、携帯端末２０のバッテリの充電が完了して受電が停止する。
【００２４】
［給電アダプタの構成］
給電アダプタ３０は、ロック制御部３１、測定部３２および解除制御部３３を有する。給電アダプタ３０は、充電器１０およびコンセント４０と電気的に接続されている。
【００２５】
ロック制御部３１は、充電器１０によって充電が開始されてから携帯端末２０の充電に使用した電気の料金が精算されるまで充電器１０のコンセント側充電器プラグ１３と給電アダプタ３０の接続端子との接続をロックするように制御する。
【００２６】
測定部３２は、携帯端末２０に給電した電力量を測定し、該電力量を給電料金精算装置５０に通知する。例えば、測定部３２は、充電の開始とともに、充電器１０を介して携帯端末２０に給電した電力量の測定を開始し、携帯端末２０のバッテリの充電が完了した場合、または、充電の途中で充電が中止された場合に、携帯端末２０に給電した電力量を確定する。その後、測定部３２は、確定した電力量を給電料金精算装置５０に通知する。
【００２７】
解除制御部３３は、給電料金精算装置５０からロックの解除が指示された場合に、充電器１０のコンセント側充電器プラグ１３と給電アダプタ３０の接続端子との接続のロックを解除するように制御する。これにより、充電を行った携帯端末２０の所有者が、充電料金の精算を行わずに、携帯端末２０および充電器１０を給電アダプタ３０から取り外して立ち去ることを防止することができる。
【００２８】
［給電料金精算装置の構成］
給電料金精算装置５０は、計算部５１、精算指示部５２、解除指示部５３および記憶部５４を有する。また、給電料金精算装置５０は、給電アダプタ３０と通信回線を介して接続されている。
【００２９】
計算部５１は、給電アダプタ３０から受信した給電した電力量に基づいて、携帯端末２０の充電に使用した電気に対する料金を計算する。例えば、計算部５１は、所定の計算式を用いて、電力量に対応する充電料金を計算する。
【００３０】
精算指示部５２は、計算部５１によって計算した料金とともに該料金の精算の指示を携帯端末２０に対して送信する。解除指示部５３は、料金の支払いが完了した場合には、充電器１０に対してロックの解除を指示する。
【００３１】
記憶部５４は、各種処理に要するデータや、各種処理結果を記憶するものであり、例えば、ＲＡＭ（Random  Access  Memory）、ＲＯＭ（Read  Only  Memory）、フラッシュメモリ（Flash  Memory）等の半導体メモリ素子、又は、ハードディスク、光ディスク等の記憶装置である。
【００３２】
記憶部５４は、コンセント差込口ごとに、充電に使用した電力量と給電した電力量に対する料金と精算状況とを対応付けて記憶する。例えば、記憶部５４は、図２に例示するように、コンセント差込口を識別する「コンセントＩＤ」と、充電に使用した電力量を示す「使用電力」と、給電した電力量に対する料金を示す「給電料金」と、精算状況を示す「精算」とを対応付けて記憶する。なお、図２の例では、精算が完了した状態の場合には、「○」、精算が未完了である状態の場合には、「×」が記憶されているものとする。例えば、図２の一例を挙げて説明すると、記憶部５４は、コンセントＩＤ「Ａ」と、使用電力「０．３」ｋＷｈと、給電料金「３００」円と、精算「○」とが対応付けて記憶されている。
【００３３】
［充電システムによる処理］
次に、図３を用いて、実施例１に係る充電システム１００による処理の一例を説明する。図３は、実施例１に係る充電システムの処理手順を説明するためのシーケンス図である。なお、図３の例では、点線で示される処理は、人や物の動作を示すものである。
【００３４】
図３に示すように、携帯端末２０の所有者が携帯端末２０と充電器１０との接続を行い（ステップＳ１０１）、機器同士を接続する（ステップＳ１０２）。続いて、携帯端末所有者は、充電器１０をコンセント４０へ差し込むために（ステップＳ１０３）、充電器１０を給電アダプタ３０へ差し込む（ステップＳ１０４）。
【００３５】
そして、給電アダプタ３０は、コンセント側充電器プラグ１３をロックし（ステップＳ１０５）、給電を開始する（ステップＳ１０６）。なお、この際、給電アダプタ３０は、携帯端末２０にコンセントＩＤを通知する。
【００３６】
そして、給電アダプタ３０は、給電が開始されると、給電量の測定を開始する（ステップＳ１０７）。また、携帯端末２０は、充電を開始し（ステップＳ１０８）、バッテリの充電が満タンまたは途中で受電を終了した場合には、充電器１０および給電アダプタ３０に受電終了を通知する（ステップＳ１０９）。受電終了を受信すると、給電アダプタ３０は、給電量を確定させる（ステップＳ１１０）。
【００３７】
その後、携帯端末２０の所有者が、充電料金の支払い処理として、例えば、コンセントＩＤを入力する（ステップＳ１１１）。そして、給電料金精算装置５０は、料金精算機能による充電器１０の料金精算処理を開始し（ステップＳ１１２）、給電量を給電アダプタ３０に問い合わせる（ステップＳ１１３）。
【００３８】
そして、給電アダプタ３０は、給電料金精算装置５０に給電量を回答する（ステップＳ１１４）。そして、給電料金精算装置５０は、給電量に基づいて、携帯端末２０の充電に使用した電気に対する料金を計算し（ステップＳ１１５）、携帯端末２０の所有者に料金を請求する（ステップＳ１１６）。
【００３９】
携帯端末２０の所有者が請求された料金を投入すると（ステップＳ１１７）、給電料金精算装置５０は、コンセント側充電器プラグ１３のロックを解除する旨の指示を給電アダプタ３０に送信する（ステップＳ１１８）。そして、給電アダプタ３０は、コンセント側充電器プラグ１３のロックを解除する旨の指示を受信すると（ステップＳ１１９）、コンセント側充電器プラグ１３のロックを解除する（ステップＳ１２０）。その後、携帯端末２０の所有者は、プラグが解除された後、機器同士の接続の分離および機器の回収を行い（ステップＳ１２１）、携帯端末２０を端末側充電器プラグ１２から取り外す。
【００４０】
[実施例１の効果]
上述してきたように、充電システム１００は、携帯端末２０の所有者が外出先等で携帯端末２０の充電器を持っていない場合であっても、携帯端末２０の充電を可能にするとともに、他者のコンセント４０を使用して充電を行ったことに対する精算を適切に行うことを可能にする。つまり、充電システム１００では、プラグロックとロック解除機能をもつ給電アダプタ３０に携帯端末２０を接続し、給電アダプタ３０経由で給電を受け、充電が完了後、料金精算が終わるとロック解除された給電アダプタ３０から携帯端末２０を取り外すことを可能とする。これにより、充電を行った携帯端末２０の所有者が、充電料金の精算を行わずに、携帯端末２０および充電器１０を給電アダプタ３０から取り外して立ち去ることを防止することが可能である。
【実施例２】
【００４１】
ところで、上記の実施例１では、携帯端末２０の所有者が給電料金精算装置５０を自分で操作して料金を支払う場合を説明したが、これに限定されるものではなく、充電用コンセント提供者が給電料金精算装置５０および給電アダプタ３０を操作してもよい。
【００４２】
そこで、以下の実施例２では、充電用コンセント提供者が給電料金精算装置５０および給電アダプタ３０を操作する場合について説明する。なお、実施例１と同様の構成および処理については説明を省略する。
【００４３】
まず、図４を用いて、実施例２に係る充電システムによる処理の一例を説明する。図４は、実施例２に係る充電システムの処理手順を説明するためのシーケンス図である。なお、図４の例では、点線で示される処理は、人や物の動作を示すものである。
【００４４】
図４に示すように、携帯端末２０の所有者が携帯端末２０と充電器１０との接続を行い（ステップＳ２０１、Ｓ２０２）、機器同士を接続する（ステップＳ２０３）。続いて、携帯端末所有者は、充電器１０をコンセント４０へ差し込むために（ステップＳ２０４）、充電器１０を給電アダプタ３０へ差し込む（ステップＳ２０５）。
【００４５】
そして、充電の依頼を充電用コンセント提供者に行う（ステップＳ２０６）。そして、充電用コンセント提供者は、給電料金精算装置５０に給電を指示する操作を行う（ステップＳ２０７）。そして、給電料金精算装置５０は、給電の指示とコンセント側充電器プラグ１３をロックする指示とを給電アダプタ３０に指示する（ステップＳ２０８）。そして、給電アダプタ３０は、充電器１０に対してコンセント側充電器プラグ１３をロックする指示を通知する。
【００４６】
そして、給電アダプタ３０は、コンセント側充電器プラグ１３をロックし（ステップＳ２０９）、給電を開始する（ステップＳ２１０）。なお、この際、給電アダプタ３０は、携帯端末２０にコンセントＩＤを通知する。
【００４７】
そして、給電アダプタ３０は、給電が開始されると、給電量の測定を開始する（ステップＳ２１１）。また、携帯端末２０は、充電を開始し（ステップＳ２１２）、バッテリの充電が満タンまたは途中で受電を終了した場合には、充電器１０および給電アダプタ３０に受電終了を通知する（ステップＳ２１３）。受電終了を受信すると、給電アダプタ３０は、給電量を確定させる（ステップＳ２１４）。
【００４８】
その後、携帯端末２０の所有者が、充電用コンセント提供者に支払処理を依頼する（ステップＳ２１５）。そして、充電用コンセント提供者は、給電料金精算装置５０に料金の精算を指示する（ステップＳ２１６）。続いて、給電料金精算装置５０は、対象コンセントの充電器１０の料金精算処理を開始する（ステップＳ２１７）。そして、給電料金精算装置５０は、給電量を給電アダプタ３０に問い合わせる（ステップＳ２１８）。
【００４９】
そして、給電アダプタ３０は、給電料金精算装置５０に給電量を回答する（ステップＳ２１９）。そして、給電料金精算装置５０は、給電量に基づいて、携帯端末２０の充電に使用した電気に対する料金を計算する（ステップＳ２２０）。そして、充電用コンセント提供者は、携帯端末２０の所有者に料金を請求する（ステップＳ２２１）。
【００５０】
携帯端末２０の所有者が請求された料金を支払うと（ステップＳ２２２）、充電用コンセント提供者は、コンセント側充電器プラグ１３のロックの解除指示を給電料金精算装置５０に指示する（ステップＳ２２３）。そして、給電料金精算装置５０は、コンセント側充電器プラグ１３のロック解除を決定し（ステップＳ２２４）、コンセント側充電器プラグ１３のロックを解除する旨の指示を給電アダプタ３０に送信する（ステップＳ２２５）。
【００５１】
給電アダプタ３０は、コンセント側充電器プラグ１３のロックを解除する（ステップＳ２２６）。その後、携帯端末２０の所有者は、プラグが解除された後、機器同士の接続の分離および機器の回収を行い（ステップＳ２２７）、携帯端末２０を端末側充電器プラグ１２から取り外す。
【００５２】
このように、実施例２に係る充電システムでは、充電用コンセント提供者が給電料金精算装置５０および給電アダプタ３０を操作することで、充電の精算を実行することが可能である。
【実施例３】
【００５３】
ところで、上記の実施例１では、携帯端末２０の所有者が給電料金精算装置５０を自分で操作して料金を支払う場合を説明したが、これに限定されるものではなく、料金を携帯端末２０で支払うようにしてもよい。そこで、以下の実施例３では、料金を携帯端末２０で支払う場合について説明する。なお、実施例１と同様の構成および処理については説明を省略する。
【００５４】
まず、図５−１、図５−２を用いて、実施例３に係る充電システムによる処理の一例を説明する。図５−１、図５−２は、実施例３に係る充電システムの処理手順を説明するためのシーケンス図である。なお、図５−１、図５−２の例では、点線で示される処理は、人や物の動作を示すものである。
【００５５】
図５−１、図５−２に示すように、携帯端末２０の所有者が携帯端末２０と充電器１０との接続を行い（ステップＳ３０１）、機器同士を接続する（ステップＳ３０２）。続いて、携帯端末所有者は、充電器１０をコンセント４０へ差し込むために（ステップＳ３０３）、充電器１０を給電アダプタ３０へ差し込む（ステップＳ３０４）。
【００５６】
そして、給電アダプタ３０は、コンセント側充電器プラグ１３をロックし（ステップＳ３０５）、給電を開始する（ステップＳ３０６）。なお、この際、給電アダプタ３０は、携帯端末２０にコンセントＩＤを通知する。
【００５７】
そして、給電アダプタ３０は、給電が開始されると、給電量の測定を開始する（ステップＳ３０７）。また、携帯端末２０は、充電を開始する（ステップＳ３０８）。また、携帯端末２０の所有者は、充電アプリを起動する（ステップＳ３０９）。そして、携帯端末２０は、充電状況を表示し（ステップＳ３１０）、バッテリの充電が満タンまたは途中で受電を終了した場合には（ステップＳ３１１）、充電器１０および給電アダプタ３０に受電終了を通知する（ステップＳ３１２）。受電終了を受信すると、給電アダプタ３０は、給電量を確定させる（ステップＳ３１３）。
【００５８】
その後、携帯端末２０の所有者が、充電アプリで充電料金の支払い処理の操作を行うと（ステップＳ３１４）、携帯端末２０は、支払い処理を表示する（ステップＳ３１５）。そして、携帯端末２０は、支払い処理を給電料金精算装置５０に要求する（ステップＳ３１６）。そして、給電料金精算装置５０は、料金精算機能による充電器１０の料金精算処理を開始し（ステップＳ３１７）、給電量を給電アダプタ３０に問い合わせる（ステップＳ３１８）。
【００５９】
そして、給電アダプタ３０は、給電料金精算装置５０に給電量を回答する（ステップＳ３１９）。そして、給電料金精算装置５０は、給電量に基づいて、携帯端末２０の充電に使用した電気に対する料金を計算し（ステップＳ３２０）、携帯端末２０に料金を表示させ、支払い方法を指示する（ステップＳ３２１）。
【００６０】
そして、携帯端末２０は、料金および支払方法を表示し（ステップＳ３２２）、携帯端末２０の所有者が支払いを決定すると（ステップＳ３２３）、支払処理を表示する（ステップＳ３２４）。そして、携帯端末２０は、支払い処理を要求する（ステップＳ３２５）。そして、給電料金精算装置５０は、クレジット処理を行った後（ステップＳ３２６）、コンセント側充電器プラグ１３のロック解除を決定し（ステップＳ３２７）、コンセント側充電器プラグ１３のロックを解除する旨の指示を給電アダプタ３０に送信する（ステップＳ３２８）。
【００６１】
給電アダプタ３０は、コンセント側充電器プラグ１３のロックを解除する（ステップＳ３２９）。また、給電料金精算装置５０は、充電器１０、携帯端末２０および給電アダプタ３０に支払完了およびロック解除の通知を行う（ステップＳ３３０）。そして、携帯端末２０は、支払い処理完了を表示し（ステップＳ３３１）、携帯端末２０の所有者により充電アプリ終了の操作を受け付ける（ステップＳ３３２）。
【００６２】
その後、携帯端末２０の所有者は、プラグが解除された後、機器同士の接続の分離および機器の回収を行い（ステップＳ３３３）、携帯端末２０を端末側充電器プラグ１２から取り外す。このように、実施例３に係る充電システムでは、料金を携帯端末２０で支払うことが可能である。
【実施例４】
【００６３】
さて、これまで本発明の実施例について説明したが、本発明は上述した実施例以外にも、種々の異なる形態にて実施されてよいものである。そこで、以下では実施例４として本発明に含まれる他の実施例を説明する。
【００６４】
［システム構成］
また、本実施例において説明した各処理の内、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報については、特記する場合を除いて任意に変更することができる。
【００６５】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【００６６】
［その他］
なお、本実施例で説明した処理を実行するプログラムは、インターネットなどのネットワークを介して配布することができる。また、プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００６７】
１０  充電器
１１  充電制御部
１１ａ  充電部
１２  端末側充電器プラグ
１３  コンセント側充電器プラグ
１４  充電器コード
２０  携帯端末
３０  給電アダプタ
３１  ロック制御部
３２  測定部
３３  解除制御部
４０  コンセント
５０  給電料金精算装置
５１  計算部
５２  精算指示部
５３  解除指示部
５４  記憶部
１００  充電システム
【図１】
2016127741.tif 000003
【図２】
2016127741.tif 000004
【図３】
2016127741.tif 000005
【図４】
2016127741.tif 000006
【図５−１】
2016127741.tif 000007
【図５−２】
2016127741.tif 000008